(57)【要約】      （修正有）【課題】単位面積当たりの栽培本数を増加させることが出来るとともに、ツルの剪定、摘果、及び収穫における作業者の負担を軽減させる大型西瓜の栽培方法を提供する。【解決手段】大型西瓜の苗９を栽培土壌８に定植し、苗から伸びたツル４を栽培土壌と梁部材２の間に架渡した誘引部材３に誘引して上方に成長させることにより、ツルが相互に干渉することを防止する。【選択図】図１
2017195898.tif 000002
【特許請求の範囲】
【請求項１】
栽培具を用いて大型西瓜を栽培する大型西瓜の栽培方法であって、
前記栽培具は、栽培土壌の上方に所定方向に配設された梁部材と、梁部材と下方の栽培土壌表面の間に誘引部材を設けることを特徴とする大型西瓜の栽培方法。
【請求項２】
前記の誘引部材は複数本であることを特徴とする、請求項１に記載の大型西瓜の栽培方法。
【請求項３】
栽培土壌表面から適度の高さがあり、且つ、前記誘引部材の近傍に収穫台を備えることを特徴とする、請求項１、または請求項２のいずれかに記載の大型西瓜の栽培方法。
【発明の詳細な説明】
【技術分野】
【０００１】  本発明は、栽培具を用いて大型西瓜を栽培する大型西瓜の栽培方法に関する。
【背景技術】
【０００２】  従来より、ラットルスネーク種に代表されるラグビーボール形状の大型西瓜を地面に這わせて栽培する大型西瓜の栽培方法が実施されている。この大型西瓜の栽培方法では、栽培土壌に培土を盛ることによって畝を形成し、この畝に大型西瓜の１株の苗を間隔を置いて定植する。大型西瓜の苗が生長すると、大型西瓜の苗から生えたツルが畝の表面を這いながら伸びるようになる。大型西瓜の１株の苗からは３本前後のツルが伸び、ある程度成長したときに果実の大きさと品質を向上させるために、そのうちの着果ツルおよび、他のツルの葉等を剪定する。
【発明の概要】
【発明が解決しようとする課題】
【０００３】  しかしながら、上述した従来の大型西瓜の栽培方法では、次のような問題がある。第１に、隣接する大型西瓜の苗から伸びたツルが相互に干渉しないように、大型西瓜の苗を定植する間隔を大きくしなければならず、単位面積当たりの栽培本数を増やすことができない。【０００４】  第２に、１株から伸びた複数本のツルが相互に干渉してしまい、葉が重なることなどで成長に支障をきたし、また相互に干渉したツルは葉等の剪定を困難にさせていた。また、地面に這わせたツルから生えた葉が直接地面に触れ、病気になるなどの影響もあった。【０００５】  第３に、この種の大型西瓜は果実の重量が２０ｋｇを超えるものもあり、地面にある果実を収穫する作業者の負担になっていた。【０００６】  本発明の目的は、単位面積当たりの栽培本数を増やすことができるとともに、剪定作業を容易にして、また、収穫の際の作業者の負担を軽減させ、且つ、大きさと品質を向上させた果実を収穫することができる大型西瓜の栽培方法を提供することである。
【課題を解決するための手段】
【０００７】  本発明の請求項１に記載の大型西瓜の栽培方法では、栽培具を用いて大型西瓜を栽培する大型西瓜の栽培方法であって、
前記栽培具は、栽培土壌の上方に所定方向に配設された梁部材と、梁部材と下方の栽培土壌表面の間に誘引部材を設けることを特徴とする。【０００８】  また、請求項２に記載の大型西瓜の栽培方法では、請求項１の誘引部材は複数本であることを特徴とする。【０００９】  また、請求項３に記載の大型西瓜の栽培方法では、栽培土壌表面から適度の高さがあり、且つ、誘引部材の近傍に収穫台を備えることを特徴とする。【００１０】  また、請求項１乃至３に記載の大型西瓜の栽培方法では。大型西瓜の苗を栽培土壌に定植し、大型西瓜の苗から伸びた複数のツルを誘引部材にそれぞれ誘引させ、適時期に着果ツルと他のツルをより分け、各々から生える葉等を剪定し、その後、この着果した果実が収穫台に支持されることを特徴とする。
【発明の効果】
【００１１】  本発明の請求項１に記載の大型西瓜の栽培方法によれば、大型西瓜の苗から生えたツルを誘引部材に誘引させるため、隣接する大型西瓜の苗から伸びたツルが相互に干渉せず、大型西瓜の苗を定植する間隔を小さくすることができ、単位面積当たりの大型西瓜の栽培本数を増加させることができる。【００１２】  また、本発明の請求項２に記載の大型西瓜の栽培方法によれば、それぞれの誘引部材に誘引された１株から伸びた複数のツルは成長しても相互に干渉しないため、適時期に剪定しやすくなる。また、誘引部材に誘引されたツルは地面に這わないためツルから生えた葉が腐ったり病気になることが無い。【００１３】  また、本発明の請求項３に記載の大型西瓜の栽培方法によれば、成長したツルの着果節位の近傍に収穫台を備えることにより、成長し重量が増した果実が収穫台に支持され、収穫の際、作業者の負担を軽減させる効果がある。
【図面の簡単な説明】
【００１４】
【図１】本発明の一実施形態による、大型西瓜の苗を定植し、ツルを誘引させた状態を示す図である。
【図２】本発明の一実施形態による、大型西瓜の果実が作業台に支持されている状態を示す図である。
【発明を実施するための形態】
【００１５】  以下、添付図面を参照して、本発明に従う大型西瓜の栽培方法の一実施形態について説明する。図１は、本発明の一実施形態による、大型西瓜の苗を定植し、ツルを誘引させた状態を示す図であり、図２は、本発明の一実施形態による、大型西瓜の果実が作業台に支持されている状態を示す図である。
【００１６】  図１を参照して、本実施形態の大型西瓜の栽培方法では、例えばビニールハウス（図示せず）内において、栽培具１を用いて大型西瓜の栽培が行われる。ビニールハウス内の栽培土壌８には、長さ（Ｌ）の間隔で大型西瓜の苗９が定植される。苗９の上方には梁部材２が苗９の定植方向と平行に配設される。梁部材２は、例えばビニールハウスの天井部分と連結固定する、または、固定用の支柱を設けるなど固定方法は限定しない。
【００１７】  栽培土壌８の苗９の近傍と苗９の上方の梁部材２に誘引部材３を架渡する。１株の苗９に対する誘引部材３は１株の苗９から伸びるツル４と同数とし、紐状のもの、または棒状のものなど材質は限定しない。また、栽培土壌８と誘引部材３、及び誘引部材３と梁部材２の連結方法は限定しない。また、図１では、複数本の誘引部材３が苗９の近傍の栽培土壌８の同一箇所から上方の梁部材２に扇状に架渡されているが、１株の苗９から伸びるツル４を誘引させやすく、成長した着果ツル４ａ、及びそれ以外ツル４ｂを剪定しやすい形態であれば、架渡の間隔や角度は限定しない。
【００１８】  定植された苗９から伸びたツル４をそれぞれに対応する誘引部材３に誘引させることにより、上方に向かって成長する。そして、ツル４は栽培土壌８の表面を這う事がないため、定植の間隔の長さ（Ｌ）を従来の実施より大幅に縮めても（約半分）隣接する苗９から伸びるツル４と相互に干渉することが無い。
【００１９】  １株の苗９から伸びた複数本のツル４は、それぞれが誘引部材３に誘引されることにより、相互に干渉することが無い。
【００２０】  次に、ツル４を適時期まで成長させた後、それぞれの成長具合から着果ツル４ａとそれ以外のツル４ｂを剪定する。誘引部材３に誘引されたツル４は、その成長具合の見極めが容易であり、誤った剪定を防止する。
【００２１】  次に、図２をも参照して、上述した栽培具１を用いて大型西瓜を栽培する大型西瓜の栽培方法について説明する。
【００２２】  着果ツル４ａは、葉を増やしながら誘引部材３に従い、上方に成長し、やがて着果するが収穫する果実６に適した着果節位５以外に着果したものは、収穫する果実６の成長を妨げないため摘果する。収穫する果実６に適した着果節位５とは、本発明の実施における大型西瓜においては第１３節位〜第１５節位である。なお、「節位」とは、葉が生えるツタ４の位置のことであり、節位の数は葉の数を意味する。
【００２３】  誘引部材３に誘引された着果ツル４ａは節位が容易に特定できる。また、着果も容易に発見しやすいことから、収穫する果実６に適した着果節位５以外に着果したものの摘果も容易である。
【００２４】  着果した収穫する果実６を支持するように収穫台７を栽培土壌８に設置し、収穫する果実６を支持する。収穫台７を着果ツル４ａと収穫する果実６の成長に合わせ、適宜その高さと位置を調節することで、収穫する果実６が成長しても着果ツル４ａにストレスがかからず、その成長を妨げない。また、収穫する果実６が着果する着果節位５に合わせた収穫台は栽培土壌８より高い位置にあり、作業者の負担を軽減させる。
【符号の説明】
【００２５】  １  栽培具
２  梁部材
３  誘引部材
４  ツル
４ａ  着果ツル
４ｂ  それ以外のツル
５  着果節位
６  収穫する果実
７  収穫台
８  栽培土壌
９  苗
（Ｌ）定植する間隔
【図１】
2017195898.tif 000003
【図２】
2017195898.tif 000004